(57)【要約】【課題】衣類の袖部を前後と横方向に拡げて、衣類を乾燥し易くする。【解決手段】衣類用の回転ハンガーであって、この回転ハンガーはハンガー本体と、このハンガー本体の一方の端部近傍に設けられた回転軸周りに回転する第一の回転体と、他方の端部近傍に設けられた回転軸周りに回転する第二の回転体とから構成され、この回転体は横方向と前後方向に回動可能であり、衣類の袖を前後と横方向に拡げて洗濯物を乾きやすくすることを特徴とする回転ハンガーである。【選択図】図１
2016064109.tif 000002
【特許請求の範囲】
【請求項１】
衣類用の回転ハンガーであって、この回転ハンガーはハンガー本体と、このハンガー本体の一方の端部近傍に設けられた回転軸周りに回転する第一の回転体と、他方の端部近傍に設けられた回転軸周りに回転する第二の回転体とから構成され、この回転体は横方向と前後方向に回動可能であることを特徴とする回転ハンガー。
【請求項２】
請求項１の回転ハンガーの回転軸は、略垂直方向に配置されていることを特徴とする回転ハンガー。
【請求項３】
請求項１または請求項２の回転ハンガーの第一の回転体と第二の回転体は、それぞれ回動軸から両翼に延在する第一の袖部と第二の袖部を有することを特徴とする回転ハンガー。
【請求項４】
請求項３の回転ハンガーの第一の袖部と第二の袖部を不等長としたことを特徴とする回転ハンガー。
【請求項５】
請求項１から請求項４の何れかの回転ハンガーの回転軸と回動軸の間に節度部を設けたことを特徴とする回転ハンガー。
【発明の詳細な説明】
【技術分野】
【０００１】  この発明は、洗濯物が乾燥し易いようにした衣類用の回転ハンガーに関する。
【背景技術】
【０００２】  従来、洗濯物をハンガーにかけて乾燥させるとき、衣類の前後が密着してしまい乾燥し難いという問題があった。このため、次の従来技術が開示されていた。
【先行技術文献】
【特許文献】
【０００３】
【特許文献１】特開２００６−１４１６５９
【特許文献２】特開２０１１−５０７１０
【特許文献３】特開２００５−３１２８５１
【発明の概要】
【発明が解決しようとする課題】
【０００４】  特許文献１に記載のハンガーは、バー４を設けて衣類の胴部分の前後を拡げるものであるが、袖については密着してしまい乾燥し難いという問題があった。
特許文献２に記載の物干しハンガーは伸縮部材７をハンガー端部に取付るものであるが、横方向に拡げるだけで、前後には拡がらないので袖の前後が接近して乾燥し難いという問題があった。また、伸縮部材７を取り付けたり取り外したりが面倒という問題もあった。【０００５】  特許文献３に記載のハンガーは、可動軸４を袖に挿入するものであるが、袖は横方向には拡がるが前後方向には拡がらないので袖の前後が接近してしまい、乾燥し難いという問題があった。
【課題を解決するための手段】
【０００６】  衣類用の回転ハンガーであって、この回転ハンガーはハンガー本体と、このハンガー本体の一方の端部近傍に設けられた回転軸周りに回転する第一の回転体と、他方の端部近傍に設けられた回転軸周りに回転する第二の回転体とから構成され、この回転体は横方向と前後方向に回動可能であることを特徴とする回転ハンガーである。
【発明の効果】
【０００７】  この発明では、上記の問題点を解決し、衣類の袖部を前後と横方向に拡げて、衣類を乾燥し易くすることができる。
【図面の簡単な説明】
【０００８】
【図１】第一の実施例の回転ハンガーを示す正面図である。
【図２】第一の実施例の回転ハンガーの回転軸を示す、ＸＸに垂直断面の断面図である。
【図３】第一の実施例の回転ハンガーを示す正面図である。
【図４】第一の実施例の回転ハンガーを示す正面図である。
【図５】第一の実施例の回転ハンガーを示す平面図である。
【図６】第一の実施例の回転ハンガーを示す平面図である。
【図７】第一の実施例の回転ハンガーを示す平面図Ａ、背面図Ｂ、底面図Ｃ、左側面図Ｄ、右側面図Ｅである。
【図８】第二の実施例の回転ハンガーを示す正面図である。
【図９】第三の実施例の回転ハンガーを示す正面図である。
【図１０】第四の実施例の回転ハンガーを示す正面図である。
【発明を実施するための形態】
【０００９】  衣類用の回転ハンガーであって、この回転ハンガーはハンガー本体と、このハンガー本体の一方の端部近傍に設けられた回転軸周りに回転する第一の回転体と、他方の端部近傍に設けられた回転軸周りに回転する第二の回転体とから構成され、この回転体は横方向と前後方向に回動可能であることを特徴とする回転ハンガーである。
上記の回転ハンガーの回転軸は、略垂直方向に配置されていることを特徴とする回転ハンガーである。
【００１０】  上記の回転ハンガーの第一の回転体と第二の回転体は、それぞれ回動軸から両翼に延在する第一の袖部と第二の袖部を有することを特徴とする回転ハンガーである。
上記の回転ハンガーの第一の袖部と第二の袖部を不等長としたことを特徴とする回転ハンガーである。
上記の何れかの回転ハンガーの回転軸と回動軸の間に節度部を設けたことを特徴とする回転ハンガーである。
【実施例】
【００１１】  図１は、第一の実施例の回転ハンガーの基本状態を示す正面図である。回転ハンガー１０は、ハンガー本体２０と、第一の回転体３０と、第二の回転体４０とから構成されている。ハンガー本体２０は、フック２１と、フック２１から両側に延在する傾斜部２２と、傾斜部２２の端部近傍から下方に延在する回転軸２４と、回転軸２４の下端同士を連結する水平部２３とから構成されている。ハンガー本体２０は、プラスチックなどで一体に形成されている。【００１２】  第一の回転体３０は、第一の袖部３１と、第二の袖部３３と、これらの間の回動軸３２とから構成されており、プラスチックで一体に形成されている。第二の袖部３３は、第一の袖部３１の略２倍の長さを有している。第二の回転体４０は、第一の回転体３０と対称に形成されている。【００１３】  図２により、回転軸２４、回動軸３２について詳述すると、回動軸３２は第一の袖部３１と第二の袖部３３の間に設けられた円筒状の孔３２Ａと、挿入部３２Ｂと、節度部３２Ｃとから構成されている。回転軸２４は円柱形状をし、孔３２Ａに嵌合して回転可能である。回転軸２４上には、節度部２４Ａが設けられ、回動軸３２に設けられた節度部３２Ｃが係合し、所定の回動位置で係止可能である。【００１４】  図１は、第一の袖部３１、４１が外側に位置する状態であり、横方向長さが短い基本形であるが、図３は、第二の袖部３３、４３を外側に回転して横方向長さを長くした状態を示す。肩幅方向に異なった衣類に対応させることができる。【００１５】  図４、図５、図６は、第一の袖部３１、４１を斜め前方に位置させた状態を示す。図６に示すように、第一の袖部３１，４１と、第二の袖部３３，４３が斜め前後に開いて袖５１を前後に拡げ、先端部２５が袖５１を横方向に維持することができる。従来技術のように、袖５１を横方向だけでなく、前後方向に拡げて、袖５１内の風通しを良くすることができる。なお、袖５１が前後に拡げられると、これらに挟まれた胴５２も前後に拡げられる。本実施例では、角θが６０度で好ましい結果が得られた。【００１６】  図８は第二の実施例の回転ハンガーを示し、回転体３０、４０の先端を細くしたものであり、衣類に通し易くしている。
図９は第三の実施例の回転ハンガーを示し、回転軸２４に傾斜をつけたものである。
図１０は第四の実施例の回転ハンガーを示し、第一の回転体３０と第二の回転体４０の下半分、及びハンガー本体２０の水平部２３を省略したものであり、簡素化と軽量化を図ることができる。
【産業上の利用可能性】
【００１７】  この発明の回転ハンガーは、洗濯物を乾きやすくする衣類用ハンガーに利用可能である。
【符号の説明】
【００１８】１０は回転ハンガー
２０はハンガー本体
２１はフック
２２は傾斜部
２３は水平部
２４は回転軸
２５は先端部
３０は第一の回転体
３１は第一の袖部
３２は回動軸
３３は第二の軸部
４０は第二の回転体
４１は第一の袖部
４２は回動軸
４３は第二の軸部
５０は衣類
５１は袖
５２は胴
【図１】
2016064109.tif 000003
【図２】
2016064109.tif 000004
【図３】
2016064109.tif 000005
【図４】
2016064109.tif 000006
【図５】
2016064109.tif 000007
【図６】
2016064109.tif 000008
【図７】
2016064109.tif 000009
【図８】
2016064109.tif 000010
【図９】
2016064109.tif 000011
【図１０】
2016064109.tif 000012